(57)【要約】【課題】未照射原子燃料組立体の輸送装置を提供する。【解決手段】輸送装置は、輸送される原子コンポーネントの積み降ろしを行うために軸方向寸法に沿って開く貝殻形内側ライナーを有する。このライナーの外側寸法は、一般的なオーバーパックの管状コンテナに一致する。オーバーパックは上方部分及び下方部分に分離可能であり、下方部分は縦方向に延びるＶ字形チャンネルを有する。ライナーは、チャンネルの両側部の上の少なくとも一列の緩衝取付け具によりＬ字形チャンネル内に支持される。オーバーパックの下方部分は回転しないように固定され、上方部分はオーバーパックの下方部分にラッチ自在に係合される。【選択図】  図１
2004325454.tif 000002
【特許請求の範囲】
【請求項１】
第１の原子燃料製品の輸送コンテナ装置であって、
第１の原子燃料製品を内部で受けて支持するように設計された細長い管状コンテナと、
軸方向寸法が管状コンテナと少なくとも同じである細長い管状オーバーパックと、
管状オーバーパックを水平姿勢で支持する手段とより成り、
管状コンテナの外面は実質的に軸方向寸法に亘って延びる実質的に平坦な少なくとも２つの壁を有し、一方の壁の少なくとも１つの周方向端部には内部にアクセスするためのヒンジ付きインターフェイスが設けられ、
管状オーバーパックの内部の断面は管状コンテナよりも大きく、管状オーバーパックの内部には複数の緩衝取付け具を支持する軸方向に延びる下方支持部分を有する管状チャンネルが設けられ、複数の緩衝取付け具のうちの少なくとも１つは下方支持部分の半径方向側部の上にあり、オーバーパックが水平姿勢にある時、緩衝取付け具はそれぞれ管状コンテナの一方及びもう一方の平坦な壁を下方支持部分から離隔して支持し、下方支持部分の少なくとも１つの周方向端部はオーバーパックの内部へアクセスするためにその軸方向寸法に実質的に沿ってクランプされたインターフェイスを有する輸送コンテナ装置。
【請求項２】
管状コンテナは矩形または六角形の断面を有する請求項１の輸送コンテナ装置。
【請求項３】
管状コンテナの少なくとも２つの隣接する側部は、管状コンテナの残りの隣接する側部に軸方向にヒンジ接続され、２つの隣接する側部の当接接合部で軸方向にラッチ自在に連結されているため、ラッチ解除時は管状コンテナの内部にアクセスするために２つの隣接する側部が旋回して開くことができる請求項２の輸送コンテナ装置。
【請求項４】
細長い管状コンテナは実質的にアルミニウムにより形成されている請求項１の輸送コンテナ装置。
【請求項５】
複数の燃料棒の配列体を支持する格子を有する原子燃料組立体を輸送するための請求項１の輸送用コンテナ装置であって、
燃料組立体が管状コンテナ内にある時、軸方向に調整自在なパッドが格子と接触するように格子の位置の軸方向高さで管状コンテナの内側表面に固着可能である請求項１の輸送コンテナ装置。
【請求項６】
格子に接触するパッドの面は、格子が作られている材料よりも軟らかい材料で形成されている請求項５の輸送コンテナ装置。
【請求項７】
パッドのその面はコルクゴムで形成されている請求項６の輸送コンテナ装置。
【請求項８】
ラッチはヒンジのキングピンにより構成され、管状コンテナの側部はヒンジ接続された複数の係合する側部インターフェイスの任意のところで開くことができる請求項３の輸送コンテナ装置。
【請求項９】
管状コンテナの壁の１つの表面に固着された中性子吸収材料を含む請求項１の輸送コンテナ装置。
【請求項１０】
管状オーバーパックは、一方が下方支持部分を形成する少なくとも２つの軸方向に延びるセグメントの形に形成されている請求項１の輸送コンテナ装置。
【請求項１１】
各セグメントはステンレス鋼の中空シェルで形成され、中空の領域には軽量の材料が充填されている請求項１０の輸送コンテナ装置。
【請求項１２】
軽量の材料はポリウレタンである請求項１１の輸送コンテナ装置。
【請求項１３】
中空の領域内に断熱材料を含む請求項１１の輸送コンテナ装置。
【請求項１４】
セグメントは装着されると整列するようにキー付けされている請求項１５の輸送コンテナ装置。
【請求項１５】
セグメントは互いにラッチされる請求項１０の輸送コンテナ装置。
【請求項１６】
緩衝取付け具は下方支持部分の半径方向側部上で軸方向に離隔している請求項１の輸送コンテナ装置。
【請求項１７】
緩衝取付け具の数は第１の原子燃料製品の重量により異なる請求項１４の輸送コンテナ装置。
【請求項１８】
緩衝取付け具はゴム製取付け具である請求項１の輸送コンテナ装置。
【請求項１９】
管状オーバーパックの内側管状チャンネルの壁は中性子吸収材料でライニングされている請求項１の輸送コンテナ装置。
【請求項２０】
細長い管状コンテナの少なくとも２つの実質的に平坦な壁は接合部で１８０°未満の内角で当接してＶ字形を形成し、このＶ字形はオーバーパックが水平姿勢で支持されると管状コンテナの外面上の他の点に対してオーバーパック内の半径方向でもっとも低い点で実質的に支持される請求項１の輸送コンテナ装置。
【請求項２１】
第１の原子燃料組立体の輸送コンテナ装置であって、
軸方向寸法が第１の原子燃料組立体と少なくとも同じである細長い管状コンテナと、
軸方向寸法が管状コンテナと少なくとも同じである細長い管状オーバーパックと、
管状オーバーパックを水平姿勢で支持する手段とより成り、
管状コンテナの内部の断面は第１の原子燃料組立体よりも大きく、管状コンテナの内部には第１の原子燃料組立体をぴったり受容する大きさで、第１の原子燃料組立体の周面形状に実質的に一致する形状の管状チャンネルが設けられ、管状コンテナの周方向に離隔し軸方向に延びる少なくとも２つのつなぎ目は、分離されると管状コンテナの壁を開いて、管状コンテナの内部にアクセスできるように、また第１の原子燃料組立体を管状コンテナへ積み降ろしできるようにし、管状コンテナは実質的に軸方向寸法に亘って延びる少なくとも２つの実質的に平坦な壁を備えており、
管状オーバーパックの内部の断面は管状コンテナよりも大きく、管状オーバーパックの内部には複数の緩衝取付け具を支持する軸方向に延びる下方支持部分を有する管状チャンネルが設けられ、複数の緩衝取付け具のうちの少なくとも１つは下方支持部分のいずれかの半径方向側部の上にあり、オーバーパックが水平姿勢にある時、緩衝取付け具はそれぞれ管状コンテナの一方及びもう一方の平坦な壁を下方支持部分から離隔して支持し、
管状オーバーパックを水平姿勢で支持する手段は管状オーバーパックを平坦な壁の当接接合部が最下点に来るように支持する輸送コンテナ装置。
【発明の詳細な説明】
【技術分野】
【０００１】
【背景技術】
【０００２】
本発明は、原子燃料コンポーネント用の輸送コンテナに関し、さらに詳細には、未照射原子燃料組立体および原子燃料棒用のかかるコンテナに関する。
【関連技術】
【０００３】
多量の核分裂物質Ｕ235及び／または濃縮状態の核分裂物質Ｕ235を含む未照射の原子燃料要素及び組立体を輸送及び貯蔵するにあたり、想定される事故状態だけでなく通常使用時においても臨界を確実に回避する必要がある。例えば、燃料輸送コンテナは、原子力規制委員会（ＮＲＣ）から特定の最大濃縮燃料（即ち、Ｕ235重量及び重要パーセント）を輸送するためのラインセンスを燃料組立体の各設計につき交付される。新しい設計の輸送コンテナについてライセンスを獲得するには、ＮＲＣの満足のいくように、新型設計のコンテナが１０ ＣＦＲ ７１条に規定されたものを含むＮＲＣ規則の条件を満足することを示す必要がある。これらの条件は、収容される燃料組立体が臨界未満の状態を維持するために輸送コンテナ及びその内部支持構造が耐える必要のある最大想定事故（ＭＣＡ）を規定している。
【０００４】
本願の出願人に譲渡された米国特許第４，７８０，２６８号は、正方形の上部ノズル及び下部ノズルと正方形配列の燃料棒とを有する２つの従来型原子燃料組立体を輸送するための輸送コンテナを開示している。このコンテナは、並置関係の２つの燃料組立体間を垂直方向に延びる部分を有する支持フレームを備えている。各燃料組立体は、各々が２つの圧力パッドを有するクランプ用フレームにより支持フレームにクランプされる。この組立体全体は、緩衝取付けフレーム及び複数の緩衝取付け具によりコンテナに連結される。その垂直方向に延びる部分内には、少なくとも２つの中性子吸収要素が密封されている。ゴムコルクの緩衝材料層が、支持フレームとその垂直方向に延びる部分とを燃料組立体から分離する。
【０００５】
従来型の各燃料組立体の上部ノズルは、圧力パッドが４つの場所でその正方形の上部ノズルに固く締め付けられたジャックポストによりその縦方向軸に沿って保持される。これらの従来型燃料組立体のうち一部の下部ノズルには面取り端部がある。これらの燃料組立体は、下部ノズルの面取り端部を保持する下部ノズルスペーサによりその縦方向軸に沿って保持される。
【０００６】
上記及び他のタイプの輸送コンテナ（例えば、本願の出願人が使用する断面がほぼ正方形の加圧水型原子炉（ＰＷＲ）用燃料組立体に用いるＲＣＣ−４）についての説明は、Certificate of Compliance No. 5450, Docket No. 71-5450, U.S. Nuclear Regulatory Commission, Division of Fuel Cycle and Material Safety, Office of the Nuclear Material Safety and Safeguards, Washington, D.C. 20555に記載されている。
【０００７】
本願の出願人に譲渡された米国特許第５，４９０，１８６号は、六角形の燃料、さらに詳しくは、ソビエト型ＶＶＥＲ原子炉用の燃料組立体に用いる全く別異の原子燃料輸送コンテナを開示している。沸騰水型原子炉の燃料には他の構成の輸送コンテナが必要とされる。
【０００８】
従って、多数の原子燃料組立体の設計に対して互換的に使用可能な原子燃料組立体用改良型輸送コンテナが求められている。
【０００９】
軽量で、耐久性があり、ライセンスを受けられる設計の、単一の組立体を収容できるかかる燃料組立体輸送コンテナが求められている。
【００１０】
上記及び他の要求は、本願の出願人に譲渡された、２００１年１２月１９日付けの米国特許出願第１０／０２５，７２８号によって一部が充足される。その出願に記載された輸送コンテナは、軸方向寸法が燃料組立体と少なくとも同じ長さの細長い内部管状ライナーを有する。このライナーは、好ましくは、軸方向寸法に沿って半分に分割されているため、貝殻のように分離させてそのライナーの２半分を燃料組立体の周りに配置できる。ライナーの外周面は、軸方向寸法がライナーと少なくとも同じ長さの細長い管状コンテナとして形成されたオーバーパックの内部にぴったり受容されるように設計されている。管状コンテナの壁はステンレス鋼の比較的薄いシェルで形成され、これらのシェルがその間にクロースセルポリウレタンが位置するように同軸配置されるのが好ましい。内側シェルはホウ素を含浸させたステンレス鋼を含むのが望ましい。燃料組立体を包む管状ライナーはオーバーパック内に摺動自在に取り付けられ、オーバーパックは各端部を端部キャップで密封される。オーバーパックは、好ましくは、管状コンテナの周面を軸方向離隔関係に延びる周方向リブを備えているが、これらのリブはオーバーパックの周方向剛性を増加させ、周方向衝撃吸収部材の取付け場所を形成する。好ましくは鳥かご形の細長いフレームは、外側フレーム内にオーバーパックをそのフレームと離隔関係で受け容れるようなサイズである。そのフレームは軸方向に離隔した周方向ストラップにより形成され、これらのストラップはストラップを固定的に連結してフレームを形成する周方向に離隔し軸方向に向いた支持リブに連結されている。複数の衝撃吸収部材は、ストラップのある特定のものとオーバーパックの周りを延びる周方向リブのうちの少なくとも２つのリブとの間に連結されて、フレームが衝撃を受けてもフレームが受ける衝撃エネルギーの実質的な部分から管状コンテナを隔離する。
【００１１】
上記出願に記載された輸送コンテナは、同じオーバーパック及び鳥かご形フレームを使用するものの相補的ライナーの使用により多種多様な燃料組立体の設計に適応できるという点で実質的な改良であるが、同じ目的を達成すると共に輸送装置の保護特性及び輸送される原子燃料コンポーネントの積み降ろしの容易さを改善するさらなる改良が望まれる。
【発明の概要】
【００１２】
上記及び他の目的は、未照射原子燃料組立体及び他の原子燃料コンポーネントを通常時そして仮想事故条件の下で安全輸送するための本発明による個々の燃料組立体格納／輸送システムにより達成される。この輸送コンテナは、燃料組立体のような原子燃料製品を受容して支持するように設計された細長い管状コンテナまたはシェルを有する。管状コンテナの内面は、燃料組立体の外面に一致するのが好ましい。管状コンテナの外面は、軸方向に延びる少なくとも２つの平坦な当接壁部を有する。好ましい実施例の管状部材の断面は燃料組立体の外面にマッチするように矩形または六角形であり、コーナーのつなぎ目のうち３つのつなぎ目にはヒンジが取付けられているため、つなぎ目に沿って全てのキングピンを取外すと２つの側壁が旋回し開いて管状コンテナの内部にアクセスできる。管状部材またはコンテナはオーバーパック内に載置されて輸送されるように設計されている。オーバーパックは、管状コンテナよりも大きい軸方向寸法及び断面を有する管状パッケージである。オーバーパックは、複数の周方向部分、例えば、下方支持部分と、上方カバーの２つの部分、または下方支持部分と、その下方支持部分の周方向の両側にそれぞれヒンジ接続されてオーバーパックを閉じると係合する２つの上方カバー部分の３つの部分に分割されている。下方支持部分は、オーバーパックの軸方向長さの実質的部分にわたって管状コンテナの軸方向長さに少なくとも等しい距離だけ延びる中央Ｖ字形溝を内部に備えている。緩衝取付け具は、Ｖ字形溝の両方の半径方向壁部から、その溝に対して離隔する関係で管状コンテナを支持する高さまで延びる。使用する緩衝取付け具の軸方向位置、数、サイズ及び種類は多種多様な積荷に合うるように変更自在である。管状コンテナは、好ましくは、そのコーナーがＶ字形溝の底部上に整列するように緩衝取付け具の上に載置される。オーバーパックの上部カバー部分は、管状コンテナの下部コーナーとＶ字形溝の底部との間の間隔にほぼ等しい名目上の隙間を残して、管状コンテナの残りの部分を収容する大きさの相補的な逆Ｖ字形チャンネルを有する。オーバーパックの端部は蓋で覆われ、オーバーパック部分はラッチされる。
【実施例】
【００１３】
図１は、本発明の原子燃料製品格納／輸送装置のオーバーパック及び内部コンポーネントを示す。アルミニウムのような材料で形成される管状コンテナまたはシェル２６は、原子燃料組立体を収容し、オーバーパック１２のＶ字形溝３２の上方に緩衝取付け具２８の上に支持された状態で懸架されている。これらの緩衝取付け具２８は、溝３２の上方壁部分により構成される凹部３０内にオーバーパックの下方部分１６の軸方向長さに沿って離隔した関係で固定される。これらの緩衝取付け具は、Cambridge Springs, PennsylvaniaのLord Corporationから購入できる、部品番号Ｊ−３４２４−２１で識別される取付け具でよい。管状コンテナのコーナーにある鉄製アングル部材２４により、荷重をコンテナの壁上に分布させるとよい。緩衝取付け具の数及び可撓性は、コンテナ２６内で輸送される原子燃料製品により異なるコンテナの重量にマッチするように選択される。オーバーパック１２の下方部分１６の配向は、コンテナン２６の重量によりコンテナが溝３２の中心に保持されるように脚部１８により決定される。一方の蓋付き端部２２がオーバーパックの下方支持部分１６の一部を形成するが、第２の蓋付き端部２０は上部カバー１４の一体的部分として形成されている。オーバーパックの上方セグメント１４の端部２０は、下方支持部分１６のリップ２１に密封される。図示しないが、下方支持部分１６の一体的部分として形成される端部２２は同様な態様でオーバーパックの上方部分１４の対応リップに密封される。オーバーパック１２の上方部分１４の各側部上のキー５０は、図２の正面図からよくわかるように、オーバーパックの下方支持部分１６の相補的なキー溝に嵌合する。
【００１４】
図２は、端部プレート２０を取外した状態の本発明による輸送コンテナ装置１０の正面図である。オーバーパック１２の上部セグメント１４及び下部セグメント１６は共に、中空のステンレス鋼板３４で形成され、例えば、ポリウレタンを充填したゲージ１１のステンレス鋼シェルを用いることができる。この実施例では、最小厚さ３インチ（７．６２ｃｍ）のポリウレタンを用いるのが好ましい。好ましい実施例において、オーバーパックの中空チャンネル３７は、管状コンテナ２６の外形に実質的に一致するように形成され、中空チャンネル３７の壁は０．５インチ（１．２７ｃｍ）のホウケイ酸塩のような中性子吸収材料でライニングするとよい。あるいは、管状キャニスター２６の外面を厚さ８分の１インチ（０．３１８ｃｍ）のホウケイ酸塩層のような中性子吸収物質でライニングするか、または中性子吸収材料の組み合わせを管状コンテナ２６の壁及び中空チャンネル３７の壁に用いることができる。図２は、緩衝取付け具２８が装着される凹部３０を図１よりも分かり易く示している。同様に、上部１４をオーバーパック１２の下方支持部材１６上に配置しやすくするキー５０及びキー溝４８は、図２にわかりやすく示されている。
【００１５】
図３は、図２に示すものの変形例であり、図２に示す中空チャンネル３７上の中性子吸収材料の層４２を省略して、代わりに、管状コンテナ２６の４つの側部の全てに厚さ８分の１インチ（０．３１８ｃｍ）の中性子吸収材料層が設けられていることを示す。さらに、図３の実施例は、ステンレス鋼シェル３４とポリウレタン３６との間に介在する厚さ約半インチ（１．２７ｃｍ）の断熱材層を有する。この実施例のポリウレタンの最小厚さは約２．５インチ（６．３５ｃｍ）である。
【００１６】
好ましい実施例において、オーバーパックの上部セグメント１４は、図４に示すラッチ組立体により下部の支持セグメント１６にラッチされる。オーバーパック上方部分１４のリップ５３と、下方部分１６のリップ５５とは軸方向に互いに離隔した複数のスロットを有する。ラッチバーは、上方のリップ５３または下方のリップ５５の何れかに、クランプアーム５４がリップの対応スロット内を摺動できるように固定されている。例えば、ラッチバー５６が下方リップ５５に結合されたものでは、クランプアーム５４は対応スロットを貫通して下方に突出し、拡大突出端部がラッチバー５６を下方リップ５５に固定する。上方クランプアーム５４は図４に示すようにＬ字形であるため、リップ５３が対応クランプアーム５４上に載置されると、ラッチバー５６は図面を突き抜ける方向に移動してオーバーパック１２の上方部分１４を下方部分１６にロックすることができる。その後、クランプアーム５４はそのロック位置で固定可能である。外部レバーを用いてラッチバーを開位置または閉位置に摺動させることが可能であり、約４インチのストロークが望ましい。ロックの作動及びロックの解除を容易にするために、摺動表面に低摩擦被覆を施すとよい。
【００１７】
図５は、燃料集合体７４が配置された開いた状態の管状コンテナ２６の斜視図である。燃料集合体７４は、グリッドストラップ７８、下部ノズル７７及び上部ノズル（図示せず）により離隔関係に維持された燃料要素７６の平行離隔配列体より成る。グリッドストラップは、卵箱構成であり、燃料要素７６間に原子炉動作時に原子炉冷却材が流れるための流れチャンネルを形成するように離隔関係に維持される。燃料集合体７４は、管状コンテナ２６の底部６８に固定されるネオプレンまたはコルクゴムの底部パッド７２上に載置されている。ネオプレンまたはコルクゴムのパッド７２は、燃料集合体を支持し緩衝する。管状コンテナ２６の上方端部７０（図６に示す）により支持される燃料集合体７４の上方には、同様な構成が設けられている。管状コンテナ２６は、その下部６８及び上部７０に固定された２つの静止側部５９、６２を有する。コンテナ２６は、キングピン６７（図６に示す）を中心として回転するヒンジ６６により静止側部５８、６０の隣接端縁部にヒンジ付けされる２つの可動側部６２、６４を有する。２つの可動側部は、ラッチ状態では、キングピンを挿入した同様なヒンジ６６により連結される。このようにして、可動側部６２、６４はヒンジを取付けた任意のつなぎ目で開くことができるため、管状コンテナ２６の内部に多数の異なる方向からアクセスすることが可能であり、障害物のある種々の環境での積み降ろしを容易にする。管状コンテナ２６は、例えば厚さ０．３７５インチ（０．９５２５ｃｍ）のアルミニウムで形成するのが好ましい。
【００１８】
側部５８、６０、６２、６４の内壁は鉄フェライト複合材料のシート８８で覆われるが、磁気裏打ち材８２を有するネオプレンまたはコルクゴムのパッドはネオプレンまたはコルクゴム側をグリッドの高さのグリッドの外側ストラップ上に載るようにそのグリッドの高さで磁力により固着する。パッド上の磁気結合により、多種多様な原子燃料コンポーネントの設計に適応するようにそれらを調整することができる。ネオプレンまたはコルクゴムのパッドはグリッドの材料ほど硬くはなく、側部６２、６４が閉位置にある時グリッドを損傷なしに定位置に固定し、輸送時に燃料集合体に対して緩衝作用をする。管状コンテナ２６の内部を燃料棒のような他の燃料コンポーネントの輸送に利用できるが、それらのコンポーネントをしっかりと保持する挿入物を別個に管状コンテナ２６内で使用する。図６は、鉄フェライト複合材料のシート８０とヒンジ取付け位置とをわかりやすく示すものである。あるいは、ネオプレンまたはコルクゴムのパッドの裏側上のクリップを、側部５８、６０、６２、６４の内壁上の多数の高さにあるスロット内に支持することができる。パッドの軸方向の調整はパッドをスロット間を移動させることにより行える。
【００１９】
図７は、ロシア型ＶＶＥＲ原子炉に用いるような六角形の燃料を輸送する六角形の管状コンテナ２６を示す単純化された上面図である。このケースでは、４つの静止側部５８、５９、６０、６１があり、２つの可動側部が上述したようにヒンジ接続されている。図７に示す管状コンテナ２６の実施例は、他の全ての点については図５及び６に示すものと同じである。
【００２０】
燃料集合体または他の原子燃料コンポーネントが管状コンテナ２６に積み込まれると、可動側部６２、６４を閉じてキングスピン６７で固定し、管状コンテナ２６をオーバーパックの下方支持部分１６のＶ字形チャンネル３２内に装荷する。その後、オーバーパックの上方部分１４を下方部分１６と係合する位置に降下させ、ラッチ５２を固定することができる。このようにすると、原子燃料製品を水平の姿勢で安全輸送することができる。オーバーパックは、多くの異なる種類の燃料コンポーネントを輸送できるという融通性を提供する。
【００２１】
図９及び１０は、オーバーパック１２の別の実施例を示す。オーバーパック１２の下方部分１６は、上方部分が下方部分へキー付けされていること、また図１に示す前蓋２０がないことを除き、図１に示すものとほとんど同じである。脚部１８も図示のように異なる。図８及び９に示す実施例の上方部分１４は、それぞれが下方部分１６にヒンジ接続された部分８４、８６に分割されている。これらの部分８６、８４を閉じると、係合表面８８、９０がキー溝に沿って交差し、ラッチすることができる。前蓋９２はほぼ矩形であり、一方の上方半部分８４の一体的部分として形成されている。前蓋９２は、閉位置で下方部分１６の密封用前溝９４内に収まる。吊り下げ用ラグ９６が、キャスクを輸送コンテナへまたは輸送コンテナから移送するために設けられている。図８及び９に示す実施例では、上部８４及び８６が旋回するため、オーバーパック１２の開閉及び管状コンテナ２６の積み込みが容易になる。
【００２２】
図１０は、図８及び９に示すオーバーパック１２と、六角形の燃料組立体を輸送する六角形管状コンテナまたは部材２６´とを示す。他の全ての点で、オーバーパック１２と管状コンテナは例示したものと同じである。
【００２３】
本発明の特定の実施例を詳細に説明したが、当業者は本願の開示全体から種々の変形例及び設計変更が可能であることがわかるであろう。従って、図示説明した特定の実施例は本発明の例示にすぎず、本発明の範囲を限定するものではなく、その範囲は頭書の特許請求の範囲及びその任意及び全ての均等物の全幅を与えられるべきである。
【図面の簡単な説明】
【００２４】
【図１】本発明の輸送コンテナ装置の斜視図である。
【図２】本発明の輸送コンテナ装置の正面図であり、オーバーパックの内側チャンネルをライニングする中性子減速材料を示す。
【図３】本発明の輸送コンテナ装置の正面図であり、ステンレス鋼のシェルの内面をライニングする断熱材料と、燃料組立体を取り囲む管状コンテナの外面をライニングする中性子吸収材料とを示す。
【図４】オーバーパックのセグメントを一緒に固定するためのラッチ機構を示す斜視図である。
【図５】管状コンテナの２つの側部が旋回して開いた原子燃料組立体を収容する管状コンテナの斜視図である。
【図６】４つ全ての側壁が閉じた状態の管状コンテナの上面図である。
【図７】ロシア型ＶＶＥＲ原子炉に使用されるような六角形燃料を収容する六角形管状コンテナの単純化した上面図である。
【図８】完全に開いた位置で示す本発明の輸送コンテナ装置の別の実施例を示す別の正面図である。
【図９】上部が部分的に閉じた図８の輸送コンテナ装置の正面図である。
【図１０】六角形燃料組立体を収容するための本発明の輸送コンテナ装置の別の実施例を示す正面図である。
【図１】
2004325454.tif 000003
【図２】
2004325454.tif 000004
【図３】
2004325454.tif 000005
【図４】
2004325454.tif 000006
【図５】
2004325454.tif 000007
【図６】
2004325454.tif 000008
【図７】
2004325454.tif 000009
【図８】
2004325454.tif 000010
【図９】
2004325454.tif 000011
【図１０】
2004325454.tif 000012
【外国語明細書】
2004325454.tif 000013
2004325454.tif 000014
2004325454.tif 000015
2004325454.tif 000016
2004325454.tif 000017
2004325454.tif 000018
2004325454.tif 000019
2004325454.tif 000020
2004325454.tif 000021
2004325454.tif 000022
2004325454.tif 000023
2004325454.tif 000024
2004325454.tif 000025
2004325454.tif 000026
2004325454.tif 000027
2004325454.tif 000028
2004325454.tif 000029
2004325454.tif 000030
2004325454.tif 000031
2004325454.tif 000032
2004325454.tif 000033
2004325454.tif 000034